(57)【要約】      （修正有）【課題】屋根等に設置された太陽光モジュールのパネル面を洗浄するのに好適で、常に、純度の高い純水のみを使用することが可能な携帯用純水洗浄装置を提供する。【解決手段】水道水をイオン交換樹脂にて純水に精製する精製タンク１０を構成する。純水を洗浄水として洗浄面に供給しながら洗浄する回転洗浄ブラシを設ける。純水の精度が低下したときに純水の精製を停止せしめる純水管理装置２０を設ける。純水管理装置２０を介した純水精製タンク１０からの純水を洗浄水とする。洗浄水を背負い式噴霧器で洗浄面に噴霧する。洗浄面を回転洗浄ブラシで洗浄するように構成する。【選択図】図１
0003191964.tif 000002
【実用新案登録請求の範囲】
【請求項１】
タンク内部にイオン交換樹脂が充填されタンク内部に送水された水道水が該イオン交換樹脂にて純水に精製されるように構成した精製タンクと、該精製タンクで精製された純水を洗浄水として洗浄面に供給しながら該洗浄面を洗浄する回転洗浄ブラシとを備えた純水洗浄装置において、
精製タンクが精製した純水の精度が低下したときに純水の精製を停止せしめる純水管理装置を設け、該純水管理装置で管理した精製タンクからの純水を洗浄水として使用し、該洗浄水を背負い式噴霧器で洗浄面に噴霧すると共に、該洗浄面を回転洗浄ブラシで洗浄するように構成したことを特徴とする携帯用純水洗浄装置。
【請求項２】
前記純水管理装置は、前記精製タンクにて精製した純水の電気伝導率を感知する伝導率センサーと、該伝導率センサーに連動する電磁弁とを備え、伝導率センサーが電気伝導率の低下を感知したときに前記精製タンクに水道水を供給する電磁弁を閉じるように構成した請求項１記載の携帯用純水洗浄装置。
【請求項３】
前記純水管理装置は、前記精製タンクにて生成した純水の電気伝導率を感知する伝導率センサーと、該伝導率センサーに連動する電磁弁とを備え、純水の電気伝導率が５０マイクロジーメンス以上になったことを伝導率センサーが感知したときに電磁弁を閉じて前記精製タンクへの水道水の供給を停止するように構成した請求項１記載の携帯用純水洗浄装置。
【請求項４】
前記精製タンク内に送水される水道水は、水道の水圧を利用して送水され、又は、ポリタンクに貯水された水道水が加圧送水装置で加圧して送水されるように構成した請求項１記載の携帯用純水洗浄装置。
【請求項５】
前記背負い式噴霧器において、噴霧ノズルは、連結自在な支持パイプの先端部に装着された前記洗浄ブラシに併設され、該支持パイプの操作で、純水の噴霧と共に前記回転洗浄ブラシが洗浄するように構成した請求項１記載の携帯用純水洗浄装置。
【考案の詳細な説明】
【技術分野】
【０００１】
本考案は、主に足場の悪い屋根等に設置された太陽光モジュールのパネル面を洗浄するのに好適な携帯用純水洗浄装置に係り、特に、火山灰や黄砂、鳥の糞等の種類が異なる汚れを確実に除去すると共に、パネル面に水垢を残さずに洗浄することができる携帯用純水洗浄装置に関する。
【背景技術】
【０００２】
水道設備や排水設備がない場所でも洗浄作業を簡単に行うことができる可搬型洗浄装置が特許文献１に記載されている。この洗浄装置は、ポリタンクなどに貯めた洗浄水に吸水管を沈水させ、ポンプにより吸水管から送水管に洗浄水が送られ、送水管に取り付けられた洗浄用ブラシを介して吐出されるものである。このような洗浄装置により、水道設備や排水設備がない場所でも洗車ができるというものである。
【０００３】
特許文献１では、洗浄水として水道水を使用するものであるが、水道水で洗浄する方法によると、水道水に含まれているミネラルや有機物が乾燥して水垢として残るおそれがあった。そのため、水道水で洗車した後、水垢が残らないようにするには、洗浄水が乾燥する前に拭き上げる必要があった。
【０００４】
一方、当出願人は純水を洗浄水として使用する純水洗浄装置を提案している（特許文献２参照）。この純水洗浄装置は、拭き上げやすすぎの必要がないので洗車は勿論、高所に設置された街頭広告、高層階のガラス窓などの洗浄が可能である。特に、水垢が付着すると発電効率に影響のある太陽光モジュールのパネル面を洗浄するのに適している。この純水洗浄装置は、純水を精製する精製タンクと共に、給水ポンプやバッテリーをキャリアに搭載して移動自在にしたものであり、洗浄時には、チタン製の長い支持パイプに給水ホースを支持して送水しながら、支持パイプの先端に装着した洗浄ブラシで洗浄する構成である。
【０００５】
この純水洗浄装置により、水道水に含まれているカルシウム成分や鉄成分等が除去されるので、乾燥しても全く水垢が残らない。しかも、純水を利用することで、水素イオンが汚れを吸着し、洗浄面に静電気が帯電しないので残留物が極めて少なく拭き上げする必要もない。この結果、火山灰や黄砂、鳥の糞等の種類が異なる汚れでも確実に除去することができる。特に、特許文献２の洗浄装置では、軽量なチタン製の支持パイプを複数本連結することで、高所の窓ガラスや街頭広告等でも洗浄できるように構成している。
【先行技術文献】
【特許文献】
【０００６】
【特許文献１】特開平１１-４３０２３号公報
【特許文献２】実用新案登録第３１６１８３０号公報
【考案の開示】
【考案が解決しようとする課題】
【０００７】
ところが、特許文献２の洗浄装置は高い洗浄効果を有していても、チタン製の長い支持パイプに給水ホースを支持して送水しながら、支持パイプの先端に装着した洗浄ブラシで洗浄する構成である。そのため、屋根等に設置された太陽光モジュールのパネル面を洗浄するには、キャリアに搭載した精製タンクや給水ポンプ等を屋根に運び上げる必要があり、屋根等に設置された太陽光モジュールのパネル面を洗浄するには作業上の課題が生じていた。
【０００８】
しかも、特許文献２の純水洗浄装置は、純水生成装置で精製した純水を直接使用していたので、純水生成装置のイオン交換樹脂の精製機能が低下すると、洗浄効果が著しく低下したり、乾燥後に水垢が残ったりする虞もある。このような水垢が太陽光モジュールのパネル面に残ってしまうと太陽光モジュールの発電効率の妨げになるので水垢の付着を極力防止しなければならない。
【０００９】
ところが、純水生成装置の濾過機能が低下しているか否かを洗浄作業中に判断することは極めて困難であり、知らないうちに純度の低い水で洗浄してしまい、乾燥後、水垢の発生で初めて濾過機能が低下していることがわかるといった不都合が生じる。また、屋根上等での洗浄作業中に純水生成装置内のイオン交換樹脂の濾過機能をチェックすることは極めて困難である。
【００１０】
そこで、本考案は上述の課題を解消すべく案出されたもので、主に足場の悪い屋根等に設置された太陽光モジュールのパネル面を洗浄するのに好適で、しかも、常に、純度の高い純水のみを使用することが可能な携帯用純水洗浄装置の提供を目的とするものである。
【課題を解決するための手段】
【００１１】
本考案の第１の手段は、タンク内部にイオン交換樹脂が充填されタンク内部に送水された水道水が該イオン交換樹脂にて純水に精製されるように構成した精製タンク１０と、該精製タンク１０で精製された純水を洗浄水として洗浄面に供給しながら該洗浄面を洗浄する回転洗浄ブラシ３とを備えた純水洗浄装置において、精製タンク１０が精製した純水の精度が低下したときに純水の精製を停止せしめる純水管理装置２０を設け、該純水管理装置２０で管理した純水精製タンク１０からの純水を洗浄水として使用し、該洗浄水を背負い式噴霧器１で洗浄面に噴霧すると共に、該洗浄面を回転洗浄ブラシ３で洗浄するように構成したことにある。
【００１２】
第２の手段において、前記純水管理装置２０は、前記精製タンク１０にて精製した純水の電気伝導率を感知する伝導率センサー２２と、該伝導率センサー２２に連動する電磁弁２１とを備え、伝導率センサー２２が電気伝導率の低下を感知したときに前記精製タンク１０に水道水を供給する電磁弁２１を閉じるように構成したものである。
【００１３】
第３の手段の前記純水管理装置２０は、前記精製タンク１０にて生成した純水の電気伝導率を感知する伝導率センサー２２と、該伝導率センサー２２に連動する電磁弁２１とを備え、純水の電気伝導率が５０マイクロジーメンス以上になったことを伝導率センサー２２が感知したときに電磁弁２１を閉じて前記精製タンク１０への水道水の供給を停止するように構成している。
【００１４】
第４の手段において、前記精製タンク１０内に送水される水道水は、水道の水圧を利用して送水され、又は、ポリタンク４０に貯水された水道水が加圧送水装置５０で加圧して送水されるように構成した。
【００１５】
第５の手段は、前記背負い式噴霧器１において、噴霧ノズル１Ａは、連結自在な支持パイプ２の先端部に装着された前記回転洗浄ブラシ３に併設され、該支持パイプ２の操作で、純水の噴霧と共に前記回転洗浄ブラシ３が洗浄するように構成したものである。
【考案の効果】
【００１６】
本考案の請求項１の如く、精製タンク１０が精製した純水の精度が低下したときに純水の精製を停止せしめる純水管理装置２０を設け、該純水管理装置２０を介した純水精製タンク１０からの純水を洗浄水としたことにより、使用する純水は常に精度が担保された純水になるので、知らないうちに純度の低い水で洗浄してしまい、乾燥後、水垢の発生で初めて濾過機能が低下していることがわかるといった不都合は解消された。
【００１７】
しかも、洗浄水となる純水を背負い式噴霧器１で洗浄面に噴霧すると共に、該洗浄面を回転洗浄ブラシ３で洗浄するようにするように構成したことにより、背負い式噴霧器１の携帯性により、足場の悪い屋根等に設置された太陽光モジュールのパネル面を洗浄するのに好適なものになる。また、噴霧器からの純水の散布で効率的な洗浄が可能になり、火山灰や黄砂、鳥の糞等の種類が異なる汚れを確実に除去することができる。
【００１８】
請求項２のように、純水管理装置２０は、精製タンク１０にて生成した純水の電気伝導率を感知する伝導率センサー２２と、該伝導率センサー２２が電気伝導率の低下を感知したときに精製タンク１０に水道水を供給する電磁弁２１を閉じるように構成したことで、純水の精度が低下すると、精製タンク１０の精製機能がストップするので、純水の管理を確実に行うことができる。
【００１９】
請求項３のごとく、純水の電気伝導率が５０マイクロジーメンス以上になったことを伝導率センサー２２が感知したときに電磁弁２１を閉じて前記精製タンク１０への水道水の供給を停止するように構成することで、純水の精度が低下しても水垢が発生しない状態のうちに精製タンク１０の精製機能を停止させることができる。
【００２０】
請求項４のように、精製タンク１０内に送水される水道水は、水道の水圧を利用して送水され、又は、ポリタンク４０に貯水された水道水が加圧送水装置５０で加圧して送水されるように構成したことで、洗浄現場の環境に応じて純水を精製することが可能になるものである。
【００２１】
請求項５のごとく、背負い式噴霧器１において、噴霧ノズル１Ａは、連結自在な支持パイプ２の先端部に装着された回転洗浄ブラシ３に併設され、該支持パイプ２の操作で、純水の噴霧と共に回転洗浄ブラシ３が洗浄するように構成したことで、背負い式噴霧器１の携帯性と、支持パイプ２を介して操作する回転洗浄ブラシ３の操作性とが有効に組み合わされ、極めて合理的な洗浄を行うことができる。
【００２２】
このように本考案によると、特に足場の悪い屋根等に設置された太陽光モジュールのパネル面を洗浄するのに好適で、しかも、常に、純度の高い純水のみを使用することが可能になったものである。
【図面の簡単な説明】
【００２３】
【図１】本考案の一実施例を示す概略図である。
【図２】本考案の一実施例を示す概略経路図である。
【図３】本考案の他の実施例を示す概略図である。
【図４】本考案の他の実施例を示す概略経路図である。
【図５】本考案の純水精製時に使用する各装置を示す分解斜視図である。
【図６】本考案の純水洗浄時に使用する各装置を示す分解斜視図である。
【図７】本考案の精製タンクを示す概略断面図である。
【図８】本考案の洗浄状態を示す斜視図である。
【考案を実施するための形態】
【００２４】
本考案は、精製タンク１０にて水道水を純水に精製し、この純水を洗浄水として使用する洗浄装置である。精製タンク１０内部にはイオン交換樹脂Ｐが充填されており、精製タンク１０内部に送水された水道水が該イオン交換樹脂Ｐにて純水に精製されるように構成したものである（図７参照）。本考案では、この純水を背負い式噴霧器１の噴霧ノズル１Ａから洗浄面に噴霧しながら回転洗浄ブラシ３を回転させて洗浄するものである（図８参照）。
【００２５】
精製タンク１０のイオン交換樹脂Ｐにて多量の水道水を精製していると、次第にイオン交換樹脂Ｐの精製能力が劣化し、純水の精度(純度)が悪くなる。純水の精度は、純水に含まれる不純物の量により決定され、電気伝導率などにて数値化されている。例えば、水道水の電気伝導率は１００マイクロジーメンス、市販の蒸留水が５〜６マイクロジーメンスとされている。本考案では０〜１マイクロジーメンスの純水を洗浄水として使用するものである。
【００２６】
純水管理装置２０は、精製タンク１０が精製した純水の精度が低下したときに純水の精製を停止せしめる装置である(図１参照)。したがって、この純水管理装置２０が管理する純水精製タンク１０からの純水は精度が保たれているので、本考案では、この純水を洗浄水として使用する。図示の純水管理装置２０は、電磁弁２１、伝導率センサー２２、積算流量計２３を備えた装置である(図２参照)。
【００２７】
この純水管理装置２０では、まず、伝導率センサー２２が精製タンク１０にて生成した純水の電気伝導率を感知する。次に、純水の電気伝導率が５０マイクロジーメンス以上になったことを感知すると電磁弁２１を閉じ、精製タンク１０への水道水の供給を遮断する（図２参照）。このとき、精製タンク１０への水道水の供給は、水道設備の水圧を利用して送水することができる。イオン交換樹脂Ｐの精製能力の低下が始まると、純水の精度が著しく低下するので、伝導率センサー２２が５０マイクロジーメンスを感知した場合、即時に電磁弁２１を閉じるように設けている。また、この電磁弁２１を閉じる電気伝導率の数値設定は、任意に変更することができる。
【００２８】
また、水道設備がなく、水道水がポリタンク４０などに貯水されている場合は、ポリタンク４０の水を加圧送水装置５０で加圧して精製タンク１０に送水するように構成している（図３、図４参照）。この場合、ポリタンク４０は、スイッチ付きのものが好適である。また、図示例では、いずれも積算流量計２３を設置している（図２、図４参照）。そして、イオン交換樹脂Ｐが生成した純水の積算流量を積算流量計２３が検知し、この積算流量でイオン交換樹脂Ｐの寿命を想定できるようにしている。但し、イオン交換樹脂Ｐの寿命は、精製する水道水の質によって大きく異なることから、あくまでも寿命の目安とする。
【００２９】
図５は、本考案で純水を精製する主な構成を示している。同図において、ポリタンク４０と加圧送水装置５０は、水道設備がない場合に使用されるものである。また、同図中、符号６０は精製タンク１０及び純水管理装置２０等を稼働せしめる大型バッテリーを示し、符号７０は商用電源アダプター、符号８０は接続用ホースを示している。これらの純水を精製するための構成は、可能な限り洗浄作業の現場近くまで搬送し、水道水の使用ができる場合は直接利用し、水道水の設備がない場合は、ポリタンク４０に水道水を入れて搬送する。したがって、各構成は、いずれも個々に搬送可能な重量及びサイズになっている。
【００３０】
精製タンク１０で精製した純水は、一旦ポリタンク３０に貯水され、このポリタンク３０から背負い式噴霧器１に移し、この背負い式噴霧器１で洗浄面に噴霧すると共に、この洗浄面を回転洗浄ブラシ３で洗浄するように構成している（図８参照）。図示の背負い式噴霧器１は、支持パイプ２の先端部に着脱自在に装着される回転洗浄ブラシ３に噴霧ノズル１Ａが併設されている。そして、支持パイプ２の操作で、純水の噴霧と共に回転洗浄ブラシ３が回転して洗浄するものである。
【００３１】
図６は、純水を使用して洗浄する器具類を示している。すなわち、背負い式噴霧器１に移された純水は、噴霧ノズル１Ａから散布される。この噴霧ノズル１Ａは、支持パイプ２の先端に回転洗浄ブラシ３と共に併設されている。また、支持パイプ２は、複数本継ぎ合わせることで長さの変更が可能である。同図中、符号１Ｂは背負い式噴霧器１の送水口、符号１Ｃは、送水バルブと流量バルブとを連設したバルブ調整器である。このバルブ調整器１Ｃは、噴霧ノズル１Ａへの送水及び停止と、送水量の調整を行う。また、符号４はブラシ電源スイッチで、回転洗浄ブラシ３の回転や停止を操作する。符号６は携帯用のバッテリーで、ウェストベルト５に装置して携帯する。更に、符号７はブラシ電源ケーブル、符号８は送水ホースを示している。
【００３２】
本考案で洗浄作業をする場合、背負い式噴霧器１の噴霧ノズル１Ａの操作と共に、支持パイプ２に支持した回転洗浄ブラシ３をブラシ電源スイッチ４で回転・停止させるものである（図８参照）。したがって、折板屋根等の足場の悪い場所に設置された太陽光モジュールのパネル面を洗浄することができる。
【００３３】
尚、図示例の各構成は、本考案の一実施例に過ぎず、精製タンク１０や純水管理装置２０、或いは背負い式噴霧器１や回転洗浄ブラシ３等の構成は、本考案の要旨を変更しない範囲において自由に変更することができる。
【符号の説明】
【００３４】
Ｐ  イオン交換樹脂
１  背負い式噴霧器
１Ａ  噴霧ノズル
１Ｂ  送水口
１Ｃ  バルブ調整器
２  支持パイプ
３  回転洗浄ブラシ
４  ブラシ電源スイッチ
５  ウェストベルト
６  バッテリー
７  ブラシ電源ケーブル
８  送水ホース
１０  精製タンク
１１  注水管
１２  排出管
２０  純水管理装置
２１  電磁弁
２２  伝導率センサー
２３  積算流量計
３０  ポリタンク
４０  ポリタンク
５０  加圧送水装置
６０  大型バッテリー
７０  商用電源アダプター
８０  接続用ホース
【図１】
0003191964.tif 000003
【図２】
0003191964.tif 000004
【図３】
0003191964.tif 000005
【図４】
0003191964.tif 000006
【図５】
0003191964.tif 000007
【図６】
0003191964.tif 000008
【図７】
0003191964.tif 000009
【図８】
0003191964.tif 000010
【手続補正書】
【提出日】平成26年5月22日(2014.5.22)
【手続補正１】
【補正対象書類名】実用新案登録請求の範囲
【補正対象項目名】請求項３
【補正方法】変更
【補正の内容】
【請求項３】
前記純水管理装置は、前記精製タンクにて精製した純水の電気伝導率を感知する伝導率センサーと、該伝導率センサーに連動する電磁弁とを備え、純水の電気伝導率が５０μS/cm以上になったことを伝導率センサーが感知したときに電磁弁を閉じて前記精製タンクへの水道水の供給を停止するように構成した請求項１記載の携帯用純水洗浄装置。
【手続補正２】
【補正対象書類名】明細書
【補正対象項目名】００１３
【補正方法】変更
【補正の内容】
【００１３】
第３の手段の前記純水管理装置２０は、前記精製タンク１０にて精製した純水の電気伝導率を感知する伝導率センサー２２と、該伝導率センサー２２に連動する電磁弁２１とを備え、純水の電気伝導率が５０μS/cm以上になったことを伝導率センサー２２が感知したときに電磁弁２１を閉じて前記精製タンク１０への水道水の供給を停止するように構成している。
【手続補正３】
【補正対象書類名】明細書
【補正対象項目名】００１９
【補正方法】変更
【補正の内容】
【００１９】
請求項３のごとく、純水の電気伝導率が５０μS/cm以上になったことを伝導率センサー２２が感知したときに電磁弁２１を閉じて前記精製タンク１０への水道水の供給を停止するように構成することで、純水の精度が低下しても水垢が発生しない状態のうちに精製タンク１０の精製機能を停止させることができる。
【手続補正４】
【補正対象書類名】明細書
【補正対象項目名】００２５
【補正方法】変更
【補正の内容】
【００２５】
精製タンク１０のイオン交換樹脂Ｐにて多量の水道水を精製していると、次第にイオン交換樹脂Ｐの精製能力が劣化し、純水の精度(純度)が悪くなる。純水の精度は、純水に含まれる不純物の量により決定され、電気伝導率などにて数値化されている。例えば、水道水の電気伝導率は１００μS/cm、市販の蒸留水が５〜６μS/cmとされている。本考案では０〜１μS/cmの純水を洗浄水として使用するものである。
【手続補正５】
【補正対象書類名】明細書
【補正対象項目名】００２７
【補正方法】変更
【補正の内容】
【００２７】
この純水管理装置２０では、まず、伝導率センサー２２が精製タンク１０にて精製した純水の電気伝導率を感知する。次に、純水の電気伝導率が５０μS/cm以上になったことを感知すると電磁弁２１を閉じ、精製タンク１０への水道水の供給を遮断する（図２参照）。このとき、精製タンク１０への水道水の供給は、水道設備の水圧を利用して送水することができる。イオン交換樹脂Ｐの精製能力の低下が始まると、純水の精度が著しく低下するので、伝導率センサー２２が５０μS/cmを感知した場合、即時に電磁弁２１を閉じるように設けている。また、この電磁弁２１を閉じる電気伝導率の数値設定は、任意に変更することができる。